(57)【要約】【課題】電子カメラ等の画像再生装置から、画像信号をプリンタ装置の記録用紙に視認可能にプリント出力する場合に、記録媒体（メモリ）に書き込み禁止機能を有するものが出てきたため、書き込み禁止時には利用者が印刷したい画像や枚数を指定し、記録媒体に記録することができなくなった。また、印刷中の中止で、再開時に印刷済みの画像を再度印刷しないように中止再開情報を記録媒体に記録することができなくなった。【解決手段】かかる課題を解決する為、記録媒体に記録された中断に基づく情報に基づいて、プリント設定によるプリントを再開する再開制御手段と、記憶媒体が書き込み禁止状態である場合には、プリント設定によるプリント動作が中断した場合に、中断情報に基づく再開制御が行えない旨を通知する通知手段を有することを特徴とする。【選択図】      図５
2004304717.tif 000002
【特許請求の範囲】
【請求項１】
画像データを格納する記憶媒体から画像データを読み出す読み出し手段と、
使用者によるプリント設定操作を受け付ける操作部と、
操作部の操作により設定されたプリント設定にしたがって、読み出した画像をプリンタへ出力する出力手段と、
前記プリント設定によるプリント動作が中断した場合に、前記中断に基づく情報を前記記録媒体に記録する記録手段と、
前記記録媒体に記録された前記中断に基づく情報に基づいて、前記プリント設定によるプリントを再開する再開制御手段と、
前記記憶媒体が書き込み禁止状態である場合には、前記プリント設定によるプリント動作が中断した場合に、前記中断情報に基づく再開制御が行うことができない旨を通知する通知手段を有することを特徴とする画像再生装置。
【請求項２】
前記画像再生装置は、前記記憶媒体が書き込み禁止状態である場合に、前記操作部への操作に基づくプリント設定を受け付けないように制御するとともに、前記書き込み禁止状態の記憶媒体に記録されているプリント設定にしたがって画像データをプリンタへ出力可能に制御する制御部を有することを特徴とする請求項１に記載の画像再生装置。
【請求項３】
さらに撮像手段を有し、前記出力手段は前記プリンタと所定の通信プロトコルにしたがって通信することを特徴とする請求項１ないし２のいずれか１項に記載の画像再生装置。
【請求項４】
前記記憶媒体に記憶される前記プリント設定はＤＰＯＦに従うことを特徴とする請求項１乃至３のいずれか１項に記載の画像再生装置。
【請求項５】
画像データを格納する記憶媒体から画像データを読み出す読み出し手段と、
使用者によるプリント設定操作を受け付ける操作部と、
操作部の操作により設定されたプリント設定にしたがって、読み出した画像をプリンタへ出力する出力手段と、
前記プリント設定によるプリント動作が中断した場合に、前記中断に基づく情報を前記記録媒体に記録する記録手段と、
前記記憶媒体に記録された前記中断に基づく情報に基づいて、前記プリント設定によるプリントを再開する再開制御手段と、
前記記憶媒体が書き込み禁止状態である場合には、前記プリント設定によるプリント動作が中断した場合に、前記中断情報の記録が行うことができない旨を通知する通知手段を有することを特徴とする画像再生装置。
【請求項６】
画像データを格納する記憶媒体から画像データを読み出す読み出し手段と、
使用者によるプリント設定操作を受け付ける操作部と、
操作部の操作により設定されたプリント設定にしたがって、読み出した画像をプリンタへ出力する出力手段とを有する画像再生装置の制御方法であって、
前記プリント設定によるプリント動作が中断した場合に、前記中断に基づく情報を前記記録媒体に記録する記録工程と、
前記記録媒体に記録された前記中断に基づく情報に基づいて、前記プリント設定によるプリントを再開する再開制御工程と、
前記記憶媒体が書き込み禁止状態である場合には、前記プリント設定によるプリント動作が中断した場合に、前記中断情報に基づく再開制御が行うことができない旨を通知する通知工程を有することを特徴とする制御方法。
【請求項７】
さらに、前記記憶媒体が書き込み禁止状態である場合に、前記操作部への操作に基づくプリント設定を受け付けないように制御するステップと、
前記書き込み禁止状態の記憶媒体に既に記録されているプリント設定にしたがって画像データをプリンタへ出力可能に制御するステップとを有することを特徴とする請求項６に記載の制御方法。
【請求項８】
画像データを格納する記憶媒体から画像データを読み出す読み出し手段と、
使用者によるプリント設定操作を受け付ける操作部と、
操作部の操作により設定されたプリント設定にしたがって、読み出した画像をプリンタへ出力する出力手段とを有する画像再生装置を制御するコンピュータが実行するプログラムであって、
前記プリント設定によるプリント動作が中断した場合に、前記中断に基づく情報を前記記録媒体に記録する記録する為のコードと、
前記記録媒体に記録された前記中断に基づく情報に基づいて、前記プリント設定によるプリントを再開する再開制御する為のコードと、
前記記憶媒体が書き込み禁止状態である場合には、前記プリント設定によるプリント動作が中断した場合に、前記中断情報に基づく再開制御が行うことができない旨を通知する通知する為のコードとを有することを特徴とするプログラム。
【請求項９】
画像データを格納している着脱可能な記憶媒体から、画像データを読み出す読み出し手段と、
使用者によるプリント設定操作を受け付ける操作部と、
操作部の操作により設定されたプリント設定にしたがって、読み出した画像をプリンタへ出力する出力手段と、
前記プリント設定によるプリント動作が中断した場合に、前記中断に基づく情報を前記記録媒体に記録する記録手段と、
前記記録媒体に記録された前記中断に基づく情報に基づいて、前記プリント設定によるプリントを再開する再開制御手段と、
前記記憶媒体が書き込み禁止状態である場合には、前記プリント設定によるプリント動作が中断した場合に、前記中断情報を記憶する、前記記憶媒体とは異なる中断情報記憶手段とを有することを特徴とする画像再生装置。
【請求項１０】
前記画像再生装置は複数の着脱可能な記憶媒体を同時に装着可能であって、前記複数の着脱可能な記憶媒体が書き込み禁止状態であるかをそれぞれ確認する確認手段を有し、
前記確認手段により書き込み可能と確認されたいずれか一方の記憶媒体を、前記中断情報記憶手段として利用する事を特徴とする請求項９に記載の画像再生装置。
【請求項１１】
前記中断情報を記録する媒体として、前記複数の着脱可能な記憶媒体のうち、印刷制御情報が記録されている媒体の方を優先して利用する事を特徴とする請求項１０に記載の画像再生装置。
【請求項１２】
画像データを格納している着脱可能な記憶媒体から、画像データを読み出す読み出し手段と、
使用者によるプリント設定操作を受け付ける操作部と、
操作部の操作により設定されたプリント設定にしたがって、読み出した画像をプリンタへ出力する出力手段と、
前記プリント設定によるプリント動作が中断した場合に、前記中断に基づく情報を前記記録媒体に記録する記録手段とを有する画像再生装置の制御方法であって、
前記記録媒体に記録された前記中断に基づく情報に基づいて、前記プリント設定によるプリントを再開する再開制御工程と、
前記記憶媒体が書き込み禁止状態である場合には、前記プリント設定によるプリント動作が中断した場合に、前記中断情報を記憶する、前記記憶媒体とは異なる中断情報記憶手段に中断情報を記憶させるステップとを有することを特徴とする制御方法。
【請求項１３】
前記画像再生装置は複数の着脱可能な記憶媒体を同時に装着可能であって、前記複数の着脱可能な記憶媒体が書き込み禁止状態であるかをそれぞれ確認する確認ステップを有し、
前記確認ステップにより書き込み可能と確認されたいずれか一方の記憶媒体を、前記中断情報記憶手段として利用する事を特徴とする請求項１２に記載の制御方法。
【請求項１４】
前記中断情報を記録する媒体として、前記複数の着脱可能な記憶媒体のうち、印刷制御情報が記録されている媒体の方を優先して利用する事を特徴とする請求項１３に記載の制御方法。
【請求項１５】
画像データを格納している着脱可能な記憶媒体から、画像データを読み出す読み出し手段と、
使用者によるプリント設定操作を受け付ける操作部と、
操作部の操作により設定されたプリント設定にしたがって、読み出した画像をプリンタへ出力する出力手段と、
前記プリント設定によるプリント動作が中断した場合に、前記中断に基づく情報を前記記録媒体に記録する記録手段とを有する画像再生装置の制御するコンピュータ煮より実行されるプログラムであって、
前記記録媒体に記録された前記中断に基づく情報に基づいて、前記プリント設定によるプリントを再開する再開制御するコードと、
前記記憶媒体が書き込み禁止状態である場合には、前記プリント設定によるプリント動作が中断した場合に、前記中断情報を記憶する、前記記憶媒体とは異なる中断情報記憶手段に中断情報を記憶させる為のコードとを有することを特徴とするプログラム。
【発明の詳細な説明】
【０００１】
【発明の属する技術分野】
本発明は、撮影される被写界の光学像を電子像信号に変換する撮像手段を有する電子カメラ等の画像再生装置から、画像信号をプリンタ装置の記録用紙に視認可能にプリント出力する処理方式に関するものである。
【０００２】
【従来の技術】
従来、電子カメラ上で記録媒体に記録されている画像データの中から、利用者が印刷したい画像や枚数を指定することができ、その指定内容を記録媒体に記録していた。デジタルカメラと接続したプリンタ装置に対して、その指定内容通りに印刷指示を行い、プリントすることが可能だった。（特許文献１参照）
また、上記の指定内容に基づいて、印刷中に中断をすることができ、中断した情報を記録媒体に記録することにより、既に印刷済みの画像データを印刷せずに次の画像データから印刷を開始するという印刷の再開も可能だった。
【０００３】
【特許文献１】
特開平１０−２２４７１９
【０００４】
【発明が解決しようとする課題】
しかし、記録媒体に書き込み禁止機能を有するものが出てきたため、書き込み禁止時には利用者が印刷したい画像や枚数を指定し、記録媒体に記録することができなくなった。また、印刷中の中止で、再開時に印刷済みの画像を再度印刷しないように中止再開情報を記録媒体に記録することができなくなった。
【０００５】
したがって、使用者が一時中断処理したり、用紙不足やインク不足などのエラー発生により中断したりしても、印刷設定にも基づく印刷は最初からやり直すしか他がなくなってしまう。それまでにプリントした分を再度印刷するのは無駄であるし、改めてプリント設定しなおすのは大変手間がかかって面倒である。
【０００６】
【課題を解決するための手段】
上記の課題を解決すべく本発明は、画像データを格納する記憶媒体から画像データを読み出す読み出し手段と、使用者によるプリント設定操作を受け付ける操作部と、操作部の操作により設定されたプリント設定にしたがって、読み出した画像をプリンタへ出力する出力手段と、プリント設定によるプリント動作が中断した場合に、中断に基づく情報を記録媒体に記録する記録手段と、記録媒体に記録された中断に基づく情報に基づいて、プリント設定によるプリントを再開する再開制御手段と、記憶媒体が書き込み禁止状態である場合には、プリント設定によるプリント動作が中断した場合に、中断情報に基づく再開制御が行えない旨を通知する通知手段を有することを特徴とする。
【０００７】
【発明の実施の形態】
（第１の実施例）
以下、図面を参照して本発明の実施例を説明する。
【０００８】
図１は、本発明の実施例の構成を示す図である。
【０００９】
図１において、１００は画像処理装置である。
【００１０】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１２】
２０は画像処理回路であり、Ａ／Ｄ変換器１６からのデータ或いはメモリ制御回路２２からのデータに対して所定の画素補間処理や色変換処理を行う。
【００１３】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１４】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００１８】
画像表示部２８を用いて撮像した画像データを逐次表示すれば、電子ファインダー機能を実現することが可能である。
【００１９】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２０】
３０は撮影した静止画像や動画像を格納するためのメモリであり、所定枚数の静止画像や所定時間の動画像を格納するのに十分な記憶量を備えている。
【００２１】
これにより、複数枚の静止画像を連続して撮影する連射撮影やパノラマ撮影の場合にも、高速かつ大量の画像書き込みをメモリ３０に対して行うことが可能となる。
【００２２】
また、メモリ３０はシステム制御回路５０の作業領域としても使用することが可能である。
【００２３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２４】
４０は絞り機能を備えるシャッター１２を制御する露光制御手段であり、フラッシュ４８と連携することによりフラッシュ調光機能も有するものである。
【００２５】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２６】
４８はフラッシュであり、ＡＦ補助光の投光機能、フラッシュ調光機能も有する。
【００２７】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２８】
５０は画像処理装置１００全体を制御するシステム制御回路、５２はシステム制御回路５０の動作用の定数、変数、プログラム等を記憶するメモリである。本発明をシステム制御回路５０の制御によりソフト的に実行する場合には、メモリ５２に格納するアプリケーションプログラムが読み出され、システム制御回路中のＣＰＵにより実行されて、システム全体を制御することが出来る。
【００２９】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３０】
また、表示部５４は、その一部の機能が光学ファインダー１０４内に設置されている。
【００３１】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３２】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３３】
５６は電気的に消去・記録可能な不揮発性メモリであり、例えばＥＥＰＲＯＭ等が用いられる。
【００３４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３５】
ここで、これらの操作手段の具体的な説明を行う。
【００３６】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３７】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３８】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３９】
６６は画像表示ＯＮ／ＯＦＦスイッチで、画像表示部２８のＯＮ／ＯＦＦを設定することが出来る。
【００４０】
この機能により、光学ファインダー１０４を用いて撮影を行う際に、ＴＦＴ  ＬＣＤ等から成る画像表示部への電流供給を遮断することにより、省電力を図ることが可能となる。
【００４１】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００４２】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像削除ボタン、画像削除取消しボタン等がある。
【００４３】
これらの操作部は、印刷すべき画像の選択や、印刷枚数等の印刷設定をしたり、設定した印刷設定に基づく印刷を開始指示したり、印刷途中に印刷をキャンセルしたりする為にも用いられる。
【００４４】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４５】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４６】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知するとともに、記録媒体２００及び２１０が書込み禁止状態となっているか否かを検知する記録媒体着脱検知手段である。
【００４７】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００４８】
インタフェース及びコネクタとしては、ＰＣＭＣＩＡカードやＣＦ（コンパクトフラッシュ（登録商標））カード等の規格に準拠したものを用いて構成して構わない。
【００４９】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５０】
１０２は、画像処理装置１００のレンズ１０を含む撮像部を覆う事により、撮像部の汚れや破損を防止するバリアである保護手段である。
【００５１】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５２】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５３】
１１２は通信手段１１０により画像処理装置１００を他の機器と接続するコネクタ或いは無線通信の場合はアンテナである。
【００５４】
２００はメモリカードやハードディスク等の記録媒体である。
【００５５】
記録媒体２００は、半導体メモリや磁気ディスク等から構成される記録部２０２、画像処理装置１００とのインタフェース２０４、画像処理装置１００と接続を行うコネクタ２０６を備えている。
【００５６】
２１０はメモリカードやハードディスク等の記録媒体である。
記録媒体２１０は、半導体メモリや磁気ディスク等から構成される記録部２１２、画像処理装置１００とのインタフェース２１４、画像処理装置１００と接続を行うコネクタ２１６を備えている。
【００５７】
図２は、本画像装置を適用した電子カメラの斜視図である。
２−１は電源ＯＮ／ＯＦＦのためのボタンである。２−２はモード切り替えレバーで、撮影モード、再生モード、動画撮影モード、静止画撮影モード等の各機能モードを切り替え設定することができる。２−３はシャッターボタンを示す。カメラの撮影画像は画像表示部に表示されるが、これは通常ＬＣＤ（液晶ディスプレイ）を使用しているので、以下、ＬＣＤと称する。静止画像及び或るいは動画像の再生等のための画面もこのＬＣＤ２−４に表示される。２−５はＭＥＮＵボタンで、撮影パラメタやカメラの設定を変更するためのメニュー画面に出入りするためのボタンである。２−６はＳＥＴボタンで、メニューの決定等に使用する。２−７は削除ボタンで、画像の削除を指定することができる。２−８はＤＩＳＰボタンで、ＬＣＤ２−４における表示の有り無しなどを切り替えるボタンである。２−９は十字ボタンで、この上下左右ボタンを使ってメニュー画面での項目の移動などを行ったり、再生モードでは左右ボタンを押して画像送りを行ったり、数字の増減操作をしたりするのに使用する。
【００５８】
このように表示メニューに合わせてカーソル移動や、数字の増減を操作することによって、印刷すべき画像の選択や印刷枚数等の印刷設定をしたり、設定した印刷設定に基づく印刷を開始指示したり、印刷途中に印刷をキャンセルしたりする為に用いられる。
【００５９】
図３は、電子カメラとプリンタを接続した図を示す。プリンタ３−１は、ＵＳＢやＩＥＥＥ１３９４等の通信規格に基づいて、電子カメラ３−３と直接ケーブル３−２をつなぐことにより、電子カメラ内の記録媒体に記録されている画像データをプリンタに印刷することが可能である。
【００６０】
また、本例では、画像データを記録する記録媒体とは、書き込み禁止機能を持つＳＤカード等の取り外し可能な記録媒体を指す。
【００６１】
なお、実施例の説明では、カメラ等の画像再生装置とプリンタとをケーブルによって直接接続する形態を説明したが、ＩｒＤＡやＢｌｕｅｔｏｏｔｈ等の無線通信を適用しても良い。
【００６２】
図４はＬＣＤ２−４上の表示をあらわす。
【００６３】
再生モードでＭＥＮＵボタンを押すと、図４（ａ）に示すメニュー画面が表示される。十字ボタンの上下ボタンでメニューの項目を移動し、プリント指定を選択しＳＥＴボタンを押すと、図４（ｂ）に示すプリント指定画面に入る。画像指定を選択してＳＥＴボタンを押すと、図４（ｃ）に示すように印刷する画像データを選択する画面に入る。
【００６４】
十字ボタンの左右ボタンで画像を選択し、十字ボタンの上下ボタンで現在選択中の画像を印刷する枚数を指定する。ＳＥＴボタンを押すことにより、記録媒体に記録されている全画像データに対して、一括して印刷指定を行うことも可能である。
【００６５】
印刷する画像を選択し、枚数を設定すると、その情報は記録媒体に記録される。しかしながら、記録媒体が書き込み禁止になっている場合は画像指定を行うことができないため、この画像指定ボタンは選択できないようになっているため、新たに設定をすることはできない。
【００６６】
また、図４（ｂ）で設定を選択しＳＥＴボタンを押すと、図４（ｄ）に示すプリント設定画面に入り、プリントの種類（スタンダードプリント或いはインデックスプリント或いは両方）や日付の入り切り、ファイル番号の入り切りの設定が可能である。画像指定と同様に、設定が記録媒体に記録されるため、記録媒体が書き込み禁止になっている場合は、設定を変更することができず、設定ボタンは選択できないようになっている。
【００６７】
図４（ｅ）で示すように、画像指定と設定を行った後、プリントを選択しＳＥＴボタンを押すと、印刷を開始する。これは、記録媒体の書き込み禁止の有無に関わらず、プリントする画像が選択されていれば実行可能である。なぜなら、既にプリント設定情報が記録されている場合には、これを読み出してプリントすればよいので、書込み禁止だからといってプリン開始の指示を無理に禁止する必要は無いし、読み出すだけなのにプリントを禁止するのは返って分かりにくくて不便である。但し、画像が指定されていない場合は、印刷する画像がないため、このプリントボタンは選択できないようになっている。
【００６８】
プリントボタンを選択しＳＥＴボタンを押すと、図４（ｆ）に示す画面に入る。印刷中に中止を押したときに記録媒体に中止再開情報を書き込むため、中止再開情報がある場合にのみ、再開ボタンが現れる。中止再開情報がない場合は、再開ボタンは表示されない。ＯＫを選択しＳＥＴボタンを押すと、指定画像全ての印刷を開始し、図４（ｇ）の画面を表示する。
【００６９】
図５は、印刷を開始し印刷中での中止ボタンを受け付けたときのフローを示す。
【００７０】
利用者の印刷要求により印刷を開始し、利用者がなんらかの都合で印刷を途中で中止したい場合は、図４（ｇ）に示す中止ボタンが選択されている状態でＳＥＴボタンを押すと、現在印刷中の画像を印刷し終えて印刷を中止すると、図４（ｈ）に示すように、印刷していない画像が何枚あるかを表示する。利用者がＯＫボタンを選択しＳＥＴボタンを押すと、印刷を中止する。このとき、印刷中止指示があったと判断し（Ｓ５−１）、記録媒体が書き込み禁止かどうかを見る（Ｓ５−２）。書き込み禁止でない場合は印刷を中止し（Ｓ５−４）、記録媒体に中止再開情報を記録する（Ｓ５−５）。記録媒体が書き込み禁止の場合は、今印刷中の画像の印刷を終えると、そのまま印刷を中止する（Ｓ５−３）。
【００７１】
これにより、図４（ｉ）で示すように、再開ボタンを選択しＳＥＴボタンを押すと、この印刷の中止再開情報をみて、すでに印刷を終わった画像の次の画像から印刷を再開することが可能となる。しかし、記録媒体が書き込み禁止時には、印刷の中止再開情報を記録媒体に記録することができないため、中止した後ですでに印刷を終わった画像の次の画像から印刷を再開することはできないが、しかし、画像の印刷を途中で中止することはできる。
【００７２】
ここで、上記のＳ５−３において、図４（ｇ）に示すように、印刷中に利用者が中止ボタンを押すことにより印刷中止を指示した場合、記録媒体が書き込み禁止時には図５（ｈ）に示す画面において、例えば「記録媒体が書き込み禁止になっています」のように、印刷を途中で中断しても中断したところから印刷を再開することが不可能であることを利用者に対して確認可能なメッセージを表示することも可能である。もしくは警告音や警告音声メッセージを出力することによって、中断情報の記録が出来ないこと、もしくは中断情報に基づき再開制御が出来ないことを、使用者が認識できるようにする。
【００７３】
また、図４（ｉ）で示すように、再開ボタンを押して印刷を再開する場合に、記録媒体が書き込み禁止状態であったときに、中断情報が書き込めないことや或いは印刷を途中で中断しても中断したところから印刷を再開することが不可能であることを利用者に対して確認可能なメッセージを通知することも可能である。この通知も、ディスプレイへの表示だけでなく、警告音や音声メッセージで出力することを含む。
【００７４】
上記の説明では、中断情報は再生装置側のメモリカードに記録するようにしていた。
【００７５】
これは、メモリカードが完全にメモリを消費していることは少ないことと、わざわざ専用のメモリを再生装置やプリンタの装置内に用意しておくという手間を防ぐ為である。
【００７６】
再生装置やプリンタ内にもメモリを装備しているので、この量聞きに中断情報を記録しておいても、再開制御は可能であるが、装置内のメモリは一般に画像処理等に利用する為、この領域を中断情報が占有してしまうと、画像処理の効率が悪くなってしまう。また、専用の記憶手段を用意しておいても再開制御は可能であるが、コストが上がってしまう。
【００７７】
（第２の実施例）
本実施例においては、基本的に第１の実施例で説明した画像再生装置とプリンタと、同様の構成である。したがって、装置構成の図やフローチャート省略する。
【００７８】
第１の実施例と異なる点は、着脱可能なメモリカードが書込み禁止になっていない場合には、中断情報はメモリカードに記録するが、着脱可能なメモリカードが書込み禁止になっている場合には、そのメモリーカードとは異なる別の記憶媒体に中断情報を記録するように制御することを特徴としている。
【００７９】
この別の記憶媒体は、画像再生装置内部のメモリもしくは、プリンタ内部のメモリを利用すればよい。
【００８０】
このように構成することにより、中断情報を記録しておくことにより再開制御を実行することが出来るとともに、メモリカードが書き込み禁止状態の場合にのみ、画像再生装置内部のメモリもしくは、プリンタ内部のメモリに中断情報を記録することで、なるべく装置ないメモリの占有を防止するとともに、再開制御を実行することを可能にする。
【００８１】
または、第１実施例の装置構成のように複数の着脱可能記憶媒体が装着されている場合には、図１の説明のように、記録媒体着脱検知部９８での、各記録媒体が書き込み禁止状態であるか否かの検知結果に基づいて、書き込みが許されている記憶媒体のいずれかに書き込むように制御するようにしても良い。
【００８２】
この場合には、中断情報の為に装置内のメモリを使用する頻度を、より低減することが出来る。
【００８３】
なお、本発明は複数の機器（たとえばホストコンピュータ、インタフェース機器、リーダ、プリンタ等）から構成されるシステムに適用しても、または一つの機器（たとえば複写機、ファクシミリ装置）からなる装置に適用してもよい。
【００８４】
また前述した実施形態の機能を実現する様に各種のデバイスを動作させる様に該各種デバイスと接続された装置あるいはシステム内のコンピュータに、前記実施形態機能を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施したものも本願発明の範疇に含まれる。
【００８５】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００８６】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることが出来る。
【００８７】
またコンピュータが、供給されたプログラムコードを実行することにより、前述の実施形態の機能が実現されるだけではなく、そのプログラムコードが、コンピュータにおいて稼働しているＯＳ（オペレーティングシステム）、あるいは他のアプリケーションソフト等と共同して前述の実施形態の機能が実現される場合にもかかるプログラムコードは本願発明の実施形態に含まれることは言うまでもない。
【００８８】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本願発明に含まれることは言うまでもない。
【００８９】
【発明の効果】
以上の説明から理解できるように、本発明では、記録媒体が書き込み禁止時に、印刷設定のうちの中断した後からの再開はできない事を使用者が認識できるので、例え前回印刷済みの画像をまた印刷してしまう可能性があっても、利用者を混乱させる事を減少させることが出来る。利用者は印刷が中止できるならば印刷の再開もできるのではという誤解を招く事態を防ぐことができ、顕著な効果を発揮する。
【００９０】
さらに、中断情報を印刷設定を記録している記録媒体に格納することにより、装置のコストを高くすることもなく利便性を向上させることが出来る。
【００９１】
また、書込み禁止時に中断情報を記録できないからといって、印刷自体を禁止するのは大変不便であるが、本発明に寄れば、印刷自体を実行するとともに、既に記録媒体に記録されている印刷設定の保護を図ることが出来る。
【００９２】
また、複数の着脱可能な記憶媒体を利用している再生装置の場合には、いずれか一つの記憶媒体でも書き込み可能であれば、装置内のメモリを使用しなくても中断情報を記録可能であり、コストを上げることなく再開動作が可能となる。
【００９３】
なお、中断情報を記録する媒体としては、印刷制御情報が記録されている媒体を優先して利用することで、印刷制御情報と中断情報とをまとめて管理することが出来る。つまり、記憶媒体を抜いて他の装置に装着したとしても、１つの記憶媒体のみを移動させるだけで印刷制御情報と中断情報とを一緒に移動させることが出来る。
【図面の簡単な説明】
【図１】実施例の構成ブロック図である。
【図２】実施例の画像再生装置を適用した電子カメラの斜視図である。
【図３】実施例の電子カメラとプリンタを接続した図である。
【図４】実施例のＬＣＤ上の表示を示す。
【図５】実施例の印刷を開始し印刷中での中止ボタンを受け付けたときのフローである。
【符号の説明】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
２−１  電源ＯＮ／ＯＦＦボタン
２−２  モード切り替えレバー
２−３  シャッターボタン
２−４  ＬＣＤ
２−５  ＭＥＮＵボタン
２−６  ＳＥＴボタン
２−７  削除ボタン
２−８  ＤＩＳＰボタン
２−９  十字ボタン
３−１  プリンタ
３−２  ケーブル
３−３  電子カメラ
【図１】
2004304717.tif 000003
【図２】
2004304717.tif 000004
【図３】
2004304717.tif 000005
【図４】
2004304717.tif 000006
【図５】
2004304717.tif 000007